(57)【要約】【課題】  電磁石と、電磁石用の支持部と、シャッターに連結され、電磁石が励磁されて可動電機子が電磁石に接触する開弁位置と電磁石が励磁されない閉弁位置との間で電磁石に対して可動である可動電機子と、を有する調理器具に適するガス安全弁を提供する。【解決手段】  リール１０は、リールの基部１２に埋め込まれた部分として位相端子の一部と、接地端子の一部と、を有し、基部から突出した位相端子の第１の端部に位相ワイヤが固定され、位相端子の第２の端部２０は、安全弁１の位相コネクタ２５を形成する支持部６を貫通し、接地ワイヤは接地端子の第１の端部に固定され、接地端子の第２の端部は支持部に固定されることを特徴とする、調理器具に適するガス安全弁。【選択図】図１
0003192830.tif 000002
【実用新案登録請求の範囲】
【請求項１】
電磁石（２）と、前記電磁石（２）用の支持部（６）と、可動電機子（５）と、を有し、
前記可動電機子（５）は、シャッター（４）に連結され、前記電磁石（２）が励磁されて前記可動電機子（５）が前記電磁石（２）に接触する開弁位置と、前記電磁石（２）が励磁されない閉弁位置との間で前記電磁石（２）に対して可動であり、
前記電磁石（２）は、実質的にＵ字型のコア（７）と、前記コア（７）に挿入されたリール（１０）と、前記リール（１０）上に支持された巻線（８）と、を有し、前記巻線（８）は、位相ワイヤ（８ａ）と、接地ワイヤ（８ｂ）と、を有するガス安全弁において、
前記リール（１０）は、前記リール（１０）の基部（１２）に埋め込まれた部分として位相端子（１８）の一部と、接地端子（１９）の一部と、を有し、
前記基部（１２）から突出した前記位相端子（１８）の第１の端部（１４）に前記位相ワイヤ（８ａ）が固定され、前記位相端子（１８）の第２の端部（２０）は、安全弁（１）の位相コネクタ（２５）を形成する前記支持部（６）を貫通し、前記接地ワイヤ（８ｂ）は前記接地端子（１９）の第１の端部（１５）に固定され、前記接地端子（１９）の第２の端部（１６）は前記支持部（６）に固定されることを特徴とする、調理器具に適するガス安全弁。
【請求項２】
前記位相端子（１８）および前記接地端子（１９）が同一の材料から成る、請求項１に記載のガス安全弁。
【請求項３】
前記位相端子（１８）および前記接地端子（１９）が真鍮から成る、請求項１または２に記載のガス安全弁。
【請求項４】
前記位相端子（１８）および前記接地端子（１９）の前記埋め込まれた部分は、実質的に互いに連携して配置され、前記巻線（８）の前記ワイヤ（８ａ、８ｂ）の接続の前記第１の端部（１４、１５）は、互いに実質的に平行であり、前記位相端子（１８）および前記接地端子（１９）の前記埋め込まれた部分に実質的に直交する、請求項１〜３のいずれか１項に記載のガス安全弁。
【請求項５】
前記リール（１０）は、実質的に前記リール（１０）に対して長手方向に前記基部（１２）内に延在した溝（１７）を有し、前記位相端子（１８）および前記接地端子（１９）の前記埋め込まれた部分を互いに分離する、請求項１〜４のいずれか１項に記載のガス安全弁。
【請求項６】
前記リール（１０）は、実質的に直交するように前記基部（１２）から延在する突起（２１）を有し、前記位相端子（１８）の前記第２の端部（２０）を前記コア（７）から隔離する、請求項１〜５のいずれか１項に記載のガス安全弁。
【考案の詳細な説明】
【技術分野】
【０００１】
本考案は調理器具に適するガス安全弁に関する。
【背景技術】
【０００２】
調理器具に適するガス安全弁は、固定コアを有する電磁石と、電磁石用の支持部と、シャッターに連結され、電磁石が励磁されて可動電機子が電磁石に接触する開弁位置と、電磁石が励磁されない閉弁位置との間で電磁石に対して可動である可動電機子と、を備える電磁石を有することが知られている。
【０００３】
ＥＰ１０３６９８７Ａ２は、電磁石が、中央接続座金に接続されたＵ字型のコアと、半円形の断面を有する絶縁ハーフリールの周囲で支持された２つの直列の多層巻線と、から構成されているガス安全弁を開示している。当該弁は、コアの支持座に電磁石を結合するための手段を有し、当該手段は、位相と接地導線を収容するために各ハーフリールから電気的接続手段に突き出す２つの端子を有する。リード線のうちの少なくとも１つは、コアを貫通する。
【０００４】
ＣＮ１１１９７１８Ａは、中央開口部に導入される中心電極ピンと、貫通孔を通過して電磁コアに延在するように中心電極ピンに接続された中央リードワイヤと、電磁支持体に溶接された外側リードワイヤと、中央リードワイヤに接続された一端を有するようなコアのアーム部とリードワイヤの端部に接続された他端の両方の周りに巻かれたコイルと、を有する弁を開示している。
【０００５】
最後に、ＪＰ２００００１８５９１Ａは、ケーシングに収容された固定コアと、可動コアと、シャッターに連結されたシャフトを作動させる伸縮ばねと、を有する安全弁を開示している。当該弁は、巻取リールと、その中に挿入された接地端子を含むリールと、コイルの基部に挿入された位相端子と、を有し、コイルの端部は各端子に固定されている。リールはまた、接地と、コイルの端部が固定された位相端子との間に９０°以上の角度差で固定された他の接地端子を有する。
【先行技術文献】
【特許文献】
【０００６】
【特許文献１】欧州特許出願公開第１０３６９８７号明細書
【特許文献２】中国特許出願公開第１１１９７１８号明細書
【特許文献３】特開２０００−０１８５９１号公報
【考案の概要】
【考案が解決しようとする課題】
【０００７】
本考案の目的は、電磁石と、電磁石用の支持部と、シャッターに連結され、電磁石が励磁されて可動電機子が電磁石に接触する開弁位置と電磁石が励磁されない閉弁位置との間で電磁石に対して可動である可動電機子と、を有する調理器具に適するガス安全弁を提供することである。
【課題を解決するための手段】
【０００８】
電磁石は、実質的にＵ字型のコアと、コアに挿入されたリールと、リール上に支持された巻線と、を有し、巻線は、位相ワイヤと、接地ワイヤと、を備える。リールは、リールの基部に埋め込まれた部分として位相端子の一部と、接地端子の一部と、を有し、ここで、基部から突出した位相端子の第１の端部に位相ワイヤが固定され、位相端子の第２の端部は弁の位相コネクタを形成する支持部を貫通し、接地ワイヤは接地端子の第１の端部に固定され、接地端子の第２の端部は支持部に固定される。
【考案の効果】
【０００９】
上述のようにして、位相接続および接地接続を有する最適化された安全弁が得られる。位相端子と接地端子の一部はリールに埋め込まれるので、基部から突出した端部への電気的な固定は、端子の端部と、リールとの間の相対的な動きが不可能である場合に比べてはるかに優れており、その使用を通して、位相ワイヤおよび接地ワイヤそれぞれへの電気的接続を保証することができる。
【００１０】
上記で述べた点および本考案の他の利点および特徴は、本考案に係る図面および詳細な説明の記載によって明らかにする。
【図面の簡単な説明】
【００１１】
【図１】図１は、開弁位置と閉弁位置の２つの位置において本考案に係る電磁弁を長手方向に２等分した状態を表す断面図である。
【図２】図２は、開弁位置と閉弁位置の２つの位置において図１に示す電磁弁を長手方向に２等分した状態を表す他の断面図である。
【図３】図３は、図１に示す電磁弁のリールの斜視図である。
【図４】図４は、図１に示す電磁弁のリールの平面図である。
【図５】図５は、図１に示す電磁弁のリールの正面図である。
【図６】図６は、図１に示す電磁弁のリールの断面図である。
【考案を実施するための形態】
【００１２】
図１と図２は、家庭用電化製品のバーナーにガスの通路を開放または遮断するガス器具に適した電磁安全弁１を示す。電磁弁１は、支持部６上に支持された電磁石２と、シャッター４と、シャッター４に連結され、開弁に対応する位置（図１および図２の左側に示す）と閉弁に対応する位置（図１および図２の右側に示す）との間で電磁石に対して可動である可動電機子５と、可動電機子５とともにシャッター４を閉弁位置に戻すのに適したばね９と、を有する。電磁弁１は、電磁石２と、可動電機子５と、部分的に支持部６と、を内部に包囲するケーシング３をさらに有する。
【００１３】
シャッター４は、ロッド２３を介して可動電機子５に連結している。シャッター４は、可動電機子５が電磁石２に吸引されるとき、電磁石２が励磁されてガスの通路を開放するときに、可動電機子５が電磁石２に接触する位置（図１および図２の左側に示す開弁位置）に移動されるように構成される。電磁石２が励磁されない場合、ばね９は、シャッター４に作用して、可動電機子５とともにシャッター４を（図１および図２の右側に示す）閉弁位置移動し、ガスの通路を閉じる。
【００１４】
電磁石２は、基部７ｃを介して互いに取り付けられた２つのアーム７ａおよび７ｂによって定義される実質的にＵ字型のコア７と、コア７に挿入されたリール１０と、リール１０周りに巻き取られる巻線８と、を有する。リール１０は、コア７のアーム７ａおよび７ｂの１つに挿入される。コア７と可動電機子５は、当該技術分野で公知の強磁性材料で形成される。いずれの構成要素の特性も当該技術分野において公知なものなので以下では説明しない。
【００１５】
さらに、電磁弁１は、電磁石２の支持部６を有する。支持部６は、導電性の材料、好ましくは、金属材料で形成されている。支持部６は、コア７が支持される基部１１ｂが境界線となっている筐体１１の一端に、筐体１１に部分的に収容されたコア７を有している。
【００１６】
図３〜６は、リール１０および巻線８によって形成されたアセンブリを示す。リール１０は、弾性材料、好ましくは、プラスチックから成り、巻線８が基部１２と管状部材１３に巻かれたフランジ１１との間に収容されるように、基部１２と、基部１２から連続的かつ実質的に直交するように延在する中空管状部材１３と、中空管状部材１３の自由端にあるフランジ１１と、を有する。巻線８は、安全弁１の位相に固定されるように構成された位相ワイヤ８ａと、安全弁１の接地に固定されるように構成された接地ワイヤ８ｂと、を有する。
【００１７】
リール１０は、リール１０の基部１２に埋め込まれた部分として位相端子１８の一部と、接地端子１９の一部と、をさらに有し、ここで、基部１２から突出した位相端子１８の第１の端部１４に位相ワイヤ８ａが固定され、位相端子１８の第２の端部２０は、安全弁１の位相コネクタ２５を形成する支持部６を貫通する。第１の端部１４は、位相端子１８の埋込み部分および第２の端部２０に実質的に直交に延在し、第２の端部２０は、位相端子１８の埋込み部分に実質的に直交に延在する。リール１０は、実質的に直交するように連続的に基部１２から弁１の長手方向に沿って延在する突起２１を有し、位相端子１８の第２の端部２０をコア７から隔離している。コア７は、基部７ｃを貫通する穴２８を有する。リール１０の突起２１は、穴２８を通ってコア７の基部７ｃを貫通する。位相コネクタ２５は、スリーブ２４挿入され、続いて支持部６に順に同心状に挿入される。位相端子１８の第２の端部２０は、軸方向に支持部６およびスリーブ２４を貫通して、安全弁１の外に延在する。位相コネクタ２５は、第２の端部２０に実質的に同心状に配置され、第２の端部２０を包囲し、電気的に第２の端部２０に接続される。位相コネクタ２５は、安全弁１、特に弁１の位相を熱電対、電池または電磁石２を励磁するようなものに接続するように構成される。
【００１８】
さらに、図２に示すように、巻線８の接地ワイヤ８ｂが固定された接地端子１９の第１の端部１５と、支持部６に固定される第２の端部１６とは、リール１０の基部１２から突出する。第１の端部１５は、基部１２に埋め込まれた接地端子１９の一部に実質的に直交に延在している。第２の端部１６は、第１の端部１５および基部１２に埋め込まれた位相端子１９の一部に対して一定の角度で延在している。第２の端部１６は、支持部６の端部６ｂに固定され、支持部６の端部６ｂは、ケーシング３の内部に収容される。そのために、側面１６ｂは、実質的に円筒形の支持部６の端部６ｂの側面に固定されるのに適し、停止面１６ａは、側面１６ｂに実質的に直交し、支持部６の端部６ｂの同心円上の横面に接触するのに適するとともに、第２の端部１６は、支持部６の端部６ｂの形状に適する。
【００１９】
位相端子１８および接地端子１９は、同一の材料から成る。材料は、電気的溶接とプラズマ溶接の両方により溶接可能でなければならず、さらに変形しない程度に硬くなければならない。一実施形態においては、材料は真鍮から成る。
【００２０】
位相端子１８および接地端子１９の埋め込まれた部分は、実質的に互いに連携して配置されている。位相端子１８の第１の端部１４と接地端子１９の第１の端部１５は、互いに実質的に平行である。
【００２１】
さらに、リール１０は、実質的にリール１０に対して長手方向に基部１２内に延在した溝１７を有し、位相端子１８および接地端子１９の埋め込まれた部分を分離する。
【００２２】
リール１０は、プラスチック射出工程によって製造される。はじめに、位相端子１８と接地端子１９は、単一の端子を形成するように相互に取り付けられる。一旦プラスチックが注入されると、管状部材１３、基部１２およびフランジ１１が形成され、基部１２の内部に埋め込まれる端子の一部が存在し、基部から突出する端部１４、１５、１６および２０が存在するように、射出成形金型内に部分的に収容された単一の端子とともにプラスチックを注入するための射出成形工程は行われる。その後、基部１２の切断が行われ、基部１２を２つ埋め込まれた部分に分離し、それにより、単一の端末を位相端子１８と、接地端子１９とに分離する溝１７を形成するように、切断は、基部１２に対して長手方向に行う。２つの埋め込まれた部分は、得られたリール１０の位相端子１４および接地端子１５の埋め込まれた部分にそれぞれ対応し、両方の部分は、それらが互いに絶縁されるように埋め込まれている。
【００２３】
後の工程で、銅線はリール１０に巻かれ、リール１０はコア７に挿入され、位相ワイヤ８ａは位相端子１８の第１の端部１４に固定され、接地ワイヤ８ｂは接地端子１９の第１の端部１５に固定される。位相ワイヤ８ａは溶接により位相端子１８に固定される。
【００２４】
巻線８とともにリール１０はコア７の分岐７ａと分岐７ｂに挿入され、コア７は位相端子１８の第２の端部２０を貫通し、スリーブ２４に対して突出する。第２の端部２０は、安全弁１の位相コネクタ２５に固定され、電気的導通を維持する。一般的に、固定は溶接によって行われる。
【００２５】
最後に、接地端子１９の第２の端部１６は、電気的導通が維持されるように、支持部６の端部６ｂに固定される。一般的に、固定は溶接によって行われる。
【図１】
0003192830.tif 000003
【図２】
0003192830.tif 000004
【図３】
0003192830.tif 000005
【図４】
0003192830.tif 000006
【図５】
0003192830.tif 000007
【図６】
0003192830.tif 000008